(57)【特許請求の範囲】
【請求項１】
貼付シートを体内の患部へ貼付するのに使用される処置具であって、
基端側に手持ち操作のためのハンドル操作部と、先端側に前記貼付シートが被せられる作動部とを備え、
前記作動部は、前記貼付シートを内側より支持する頭部と、前記貼付シートの前記頭部により支持される部分の周辺部分を内側より支持する胴部とからなり、前記胴部は前記頭部を支持する支持部材と前記頭部の周りに配置される少なくとも２本の可撓性部材とから構成され、各可撓性部材はそれぞれの先端側が前記頭部に支持され、基端側が前記頭部に対して進退可能な可動部材に支持されており、前記ハンドル操作部を操作することにより、各可撓性部材が前記可動部材の前進に伴って外方へ膨らみかつ前記頭部の周囲に張り出すように構成されており、
前記胴部は、偶数本の可撓性部材を有しており、相対する可撓性部材は、１本の線材を前記頭部の外周面に開口する径方向の貫通孔に挿入して折り返すことにより形成され、前記貫通孔は前記頭部に複数個設けられ、前記各貫通孔に前記線材が挿入されており、少なくとも１つの前記線材は折り返し部分が前記貫通孔に固定されており、残りの前記線材は折り返し部分が前記貫通孔に摺動可能に支持されている、処置具。
【請求項２】
前記頭部は前記貼付シートを内側より支持する押圧部と前記可撓性部材のそれぞれの先端部が支持される本体部から構成され、
前記押圧部の先端面が平坦または半球状であり、前記本体部の外径が前記押圧部の外径よりも小さい請求項１に記載の処置具。
【請求項３】
前記線材の折り返し部分が固定される前記貫通孔の少なくとも１つと前記線材の折り返し部分が摺動可能に支持される前記貫通孔の少なくとも１つとは、貫通方向が同じであり、前記可動部材の進退方向に沿って形成されている請求項１又は２に記載の処置具。
【請求項４】
前記支持部材は前記ハンドル操作部と前記作動部の前記頭部とを連結するガイド軸の先端部から構成され、前記可動部材は前記ガイド軸上を進退可能な可動筒であり、前記可動筒に前記各可撓性部材の基端部が接続されている請求項１から３のいずれかに記載の処置具。
【請求項５】
前記可動筒は、前記可動筒の外側に設けられた外筒内を進退可能である請求項４に記載の処置具。
【請求項６】
前記支持部材は前記作動部の前記頭部と固定筒の先端部を連結する支持棒から構成され、前記可動部材は前記固定筒内を進退可能な可動ロッドであり、前記可動ロッドの先端部に前記各可撓性部材の基端部が接続されている請求項１から３のいずれかに記載の処置具。
【発明の詳細な説明】
【技術分野】
【０００１】
本発明は、内視鏡の鉗子ポートに挿入されて使用される処置具に関し、特に、貼付シートを押し広げて体内の患部へ貼付するのに使用されるものである。
【背景技術】
【０００２】
内視鏡検査において、食道、胃、十二指腸等の粘膜部分に腫瘍などの病変部が発見されると、内視鏡下で病変部を切除する処置が施されるが、病変部の切除から数日後に遅発性の出血や穿孔が発生する場合がある。このため、病変部を切除した後に、患部を貼付シートで覆う処置を行い、出血や穿孔を予防している。
【０００３】
この種の処置を行うための処置具が、例えば特許文献１に提案されている。特許文献１の処置具は、内視鏡の鉗子チャンネル（鉗子ポート）に挿入されるものであり、外側シースに内側シースが内挿され、内側シースの先端には、保護シート（貼付シート）がロール状に取り付けられた第１の線状部材と、内側シース内に挿通された第２の線状部材とが設けられ、第２の線状部材に保護シートの一端が固着されている。体内において、内側シースと、第１及び第２の線状部材と、保護シートとが外側シースに対して押し出されたとき、第１及び第２の線状部材の間隔が広がることで保護シートが広げられる。この状態で第２の線状部材を内側シースに対して牽引して保護シートと第２の線状部材の固着部分とを分離し、保護シートの端部を患部の周縁に位置合わせして貼り付ける。さらに、第１の線状部材を移動させてロール状の保護シートを巻き終わりまで引き出して保護シートを第１の線状部材から分離させ、患部に貼り付ける。
【先行技術文献】
【特許文献】
【０００４】
【特許文献１】特開２０１２−４０１３５号公報
【発明の概要】
【発明が解決しようとする課題】
【０００５】
しかし、特許文献１に記載のものでは、ロール状にした貼付シート（保護シート）を第１の線状部材に取り付け、貼付シート（保護シート）の一端を第２の線状部材に固着させなくてはならず、貼付シートの処置具への取り付けが煩雑である。また、第１、第２の線状部材を別々に操作してロール状の貼付シートを引き出しながら広げる必要があり、貼付シートを貼り付ける操作が複雑である。
【０００６】
本発明は上記課題を解決するためになされたものであり、貼付シートを容易に取り付けることができ、また簡単な操作で貼付シートを押し広げて患部に貼り付けることのできる処置具を提供することを目的とする。
【課題を解決するための手段】
【０００７】
本発明による処置具は、貼付シートを体内の患部へ貼付するのに使用される処置具であって、基端側に手持ち操作のためのハンドル操作部と、先端側に前記貼付シートが被せられる作動部とを備え、前記作動部は、前記貼付シートを内側より支持する頭部と、前記貼付シートの前記頭部により支持される部分の周辺部分を内側より支持する胴部とからなり、前記胴部は前記頭部を支持する支持部材と前記頭部の周りに配置される少なくとも２本の可撓性部材とから構成され、各可撓性部材はそれぞれの先端側が頭部に支持され、基端側が頭部に対して進退可能な可動部材に支持されており、前記ハンドル操作部を操作することにより、各可撓性部材が前記可動部材の前進に伴って外方へ膨らみかつ前記頭部の周囲に張り出すように構成されている。
【０００８】
処置具の作動部に貼付シートを被せ、内視鏡の鉗子ポートに挿入する。体内において、作動部の頭部を貼付シートを介して患部に当接させ、ハンドル操作部を操作することにより可動部材を頭部に対して前進させることで、作動部の胴部の可撓性部材が外方へ膨らみ頭部の周囲に張り出すため、作動部に被せられた貼付シートが押し広げられて患部に貼付される。
【０００９】
上記の構成によれば、処置具の作動部に貼付シートを被せるだけの簡単な動作で、処置具に容易に貼付シートを取り付けることができる。また、可動部材を頭部に対して前進させるだけの簡単な操作で、作動部に被せられた貼付シートを押し広げて患部に貼り付けることができる。
【００１０】
好ましい実施形態においては、前記可撓性部材はそれぞれの先端側が頭部の外周面に開口する径方向の孔に挿入されて支持されている。
【００１１】
上記の構成によれば、可撓性部材のそれぞれの先端側は、頭部の外周面に垂直に近い角度で支持されるので、可動部材を頭部に対して前進させることで、可撓性部材を確実に頭部の周囲に張り出すことができる。また、可撓性部材は直線形状が記憶された形状記憶合金により形成されていることが好ましい。
【００１２】
さらに好ましい実施形態においては、前記頭部は前記貼付シートを内側より支持する押圧部と前記可撓性部材のそれぞれの先端部が支持される本体部から構成され、前記押圧部の先端面が平坦または半球状であり、前記本体部の外径が前記押圧部の外径よりも小さい。
【００１３】
上記の構成によれば、貼付シートを内側から支持する押圧部の先端面は平坦または半球状であるため、体内において作動部の頭部を貼付シートを介して患部に当接させる際に、患部を傷つけることを防ぐことができる。また、作動部に被せられた貼付シートを処置具で押しながら内視鏡の鉗子ポート内を搬送する際に、頭部が貼付シートを突き破ることを防止するためには、頭部の外径は貼付シートを被せた状態で内視鏡の鉗子ポートを通過できる範囲で可能な限り大きくすることが好ましい。患部を傷つけることを防ぐためにも同様である。
【００１４】
一方、貼付シートを作動部に被せた処置具を鉗子ポートに挿入する際、貼付シートの頭部により支持される部分の周辺部分は本体部の周囲に支持された可撓性部材上に支持されつつ折り重なるが、本体部の外径が大きい場合には、貼付シートの周辺部分がさらに折り重なるため、鉗子ポートに挿入できなくなる恐れがある。このため、より大きなサイズの貼付シートを搬送するには、可撓性部材の先端側が頭部に支持される本体部の外径は可能な限り小さくすることが好ましい。上記の構成によれば、本体部の外径が押圧部の外径よりも小さいため、貼付シートの周辺部分を支持する可撓性部材も径方向に小さくなり、貼付シートの折り重なった部分が押圧部の外周面より突出しないため、本体部の外径と押圧部の外径とが等しい場合に比べてより大きなサイズの貼付シートを突き破ることなく安定して搬送することができ、患部を傷つけることなく体内において作動部の頭部を貼付シートを介して患部に当接させることができる。
【００１５】
好ましい実施形態においては、前記胴部は、偶数本の可撓性部材を有しており、相対する可撓性部材は、１本の線材を前記頭部の外周面に開口する径方向の貫通孔に挿入して折り返すことにより形成されている。
【００１６】
上記の構成によれば、相対する可撓性部材は頭部の本体部に開けられた貫通孔に１本の線材を折り返すことで構成されているため、相対する可撓性部材を別個の線材で構成する場合に比べて孔に線材を通す回数が１度で済み、作業が容易となる。また、相対する可撓性部材を別個の線材で構成する場合は、頭部の本体部の外周面の相対する位置に各線材の先端部を係止するための孔を個々に開設することになるが、各線材の先端部を確実に係止することができる深さの孔を開設するには、頭部の本体部の外径を相応に大きくする必要がある。上記の構成によれば、相対する可撓性部材は１本の線材を貫通孔に挿入して折り返すことで形成されるため、可撓性部材は確実に本体部に係止され、頭部の本体部の外径をより小さくすることができ、さらに低コストでの製作が可能となる。
【００１７】
前記線材の折り返し部分は、前記貫通孔に固定されているか、前記貫通孔に摺動可能に支持されていることが好ましい。
【００１８】
また、前記可撓性部材は直線形状が記憶された形状記憶合金により形成されていることが好ましい。
【００１９】
この実施形態において、可動部材を頭部に対して前進させると、可撓性部材の直線形状に戻ろうとする復元力により、線材は貫通孔の内部で軸心の周りに軸回転してねじれようとする。
このとき、可撓性部材の線材の折り返し部分が貫通孔に固定されている場合には、線材の折り返し部分はねじれることができず、外方へ湾曲して膨らみながら頭部の周囲に張り出す。さらに可動部材が前進すると、可撓性部材は直線形状に戻ろうとする復元力により湾曲しながらねじれ始め、頭部の先端部側から可撓性部材を見たとき、各可撓性部材のねじれた部分は楕円形の面を構成し、頭部の周囲に花びら状に張り出す。このため、貼付シートに接する部分が増え、貼付シートを確実に押し広げて患部に貼り付けることができる。
【００２０】
一方、線材の折り返し部分が貫通孔に摺動可能に支持されている場合には、可動部材を頭部に対して前進させると、可撓性部材は貫通孔の内部で軸回転してねじれ、頭部の先端部側から可撓性部材を見たとき、各可撓性部材のねじれ部分は楕円形の面を構成し、楕円形の面は本体部の貫通孔を各可撓性部材が貫通する方向に対して一方側に傾きつつ、外方へ大きく湾曲して膨らみ、頭部の周囲に張り出す。さらに可動部材が前進すると、可撓性部材は貫通孔の内部でさらに軸回転し、頭部の押圧部の先端面よりも先端側に大きく突出する。このため、貼付シートを頭部よりも前方に押し出して患部に貼り付けることができる。
【００２１】
さらに好ましい実施形態においては、前記貫通孔は前記頭部に複数個設けられ、各貫通孔に前記線材が挿入されており、少なくとも１つの前記線材は折り返し部分が貫通孔に固定されており、残りの前記線材は折り返し部分が貫通孔に摺動可能に支持されている。
【００２２】
上記の構成によれば、貫通孔に固定された可撓性部材と貫通孔に固定されておらず貫通孔に摺動可能に支持された可撓性部材との両方を備えているため、貫通孔に固定された可撓性部材により貼付シートを確実に押し広げて患部に貼り付けることができるとともに、貫通孔に摺動可能に支持された可撓性部材により貼付シートを頭部よりも前方に押し出して患部に貼り付けることができる。
【００２３】
前記線材の折り返し部分が固定される貫通孔の少なくとも１つと前記線材の折り返し部分が摺動可能に支持される貫通孔の少なくとも１つとは、貫通方向が同じであり、前記可動部材の進退方向に沿って形成されていることが好ましい。
【００２４】
好ましい実施形態においては、前記支持部材は、前記ハンドル操作部と前記作動部の頭部とを連結するガイド軸の先端部から構成され、前記可動部材は前記ガイド軸上を進退可能な可動筒であり、前記可動筒に各可撓性部材の基端部が接続されている。
【００２５】
上記の構成によれば、可動筒をガイド軸に沿って前進させることにより、可撓性部材を外方へ膨らませかつ頭部の周囲に張り出させることができる。
【００２６】
好ましい実施形態においては、前記可動筒は、前記可動筒の外側に設けられた外筒内を進退可能である。
【００２７】
外筒が設けられていない処置具を、例えば長尺であり先端部が湾曲した状態の内視鏡の鉗子ポートを介して患部近傍まで挿入している場合、作動部の頭部に対して可動筒を前進させようとしても、鉗子ポートの湾曲部で鉗子ポートの内壁面と可動筒との間に大きい摺動抵抗が発生して可動筒の前進が妨げられ、内視鏡の鉗子ポート外の弛み部分で前進動作が吸収されることになり、逆にガイド軸が可動筒の側に後退しながら可撓性部材が外方に膨らみ、作動部の頭部が患部から離れてしまうことがある。このため、可撓性部材が膨らむ途中で貼付シートが処置具から脱落したり、貼付位置がずれたりする恐れがある。
一方、本実施形態においては、可動筒の外側に外筒を設ける構成とし、外筒内の可動筒のみを前進させるため、鉗子ポートの内壁面と可動筒の間に摺動抵抗は発生せず、確実に可動筒を前進させることができる。このため、作動部の頭部に対して可動筒を前進させることができ、確実に貼付シートを患部に貼り付けることができる。
【００２８】
前記支持部材は前記作動部の頭部と固定筒の先端部を連結する支持棒から構成され、前記可動部材は前記固定筒内を進退可能な可動ロッドであり、前記可動ロッドの先端部に各可撓性部材の基端部が接続されていてもよい。
【００２９】
上記の構成によれば、可動ロッドを固定筒内で前進させることにより、可撓性部材を外方へ膨らませかつ頭部の周囲に張り出させることができる。
【００３０】
前記可動筒、ガイド軸、可動ロッド、固定筒、支持棒は可撓性の材料で構成されていてもよい。
【００３１】
上記の構成によれば、前記可動筒、ガイド軸、可動ロッド、固定筒、支持棒にも柔軟性があるため、湾曲した内視鏡の鉗子ポートにおいても処置具を用いて貼付シートを搬送することが可能となる。特に、処置具の先端側の支持部材（ガイド軸の先端部または支持棒）が可撓性の材料で構成されていることで、作動部の長さを長くした場合においても、湾曲した内視鏡の鉗子ポートに処置具を挿入して貼付シートを搬送することができるため、より大きなサイズの貼付シートを押し広げることができる。更に、患部に処置具を押し付けた際のクッションとしても機能する。
【発明の効果】
【００３２】
本発明によれば、作動部の胴部の可撓性部材が外方へ膨らみ頭部の周囲に張り出すため、作動部に被せられた貼付シートが押し広げられて患部に貼付される。このように、処置具の作動部に貼付シートを被せるだけの簡単な動作で、処置具に容易に貼付シートを取り付けることができる。また、可動部材を頭部に対して前進させるだけの簡単な操作で、作動部に被せられた貼付シートを押し広げて患部に貼り付けることができる。
【図面の簡単な説明】
【００３３】
【図１】本発明の一実施形態に係る処置具の斜視図である。
【図２】処置具の先端部を示す概略斜視図である。
【図３】作動部の頭部の斜視図である。
【図４】作動部に貼付シートを被せた状態を示す概略斜視図である。
【図５】頭部を先端側から見た正面図である。
【図６】可動筒の先端部を示す斜視図である。
【図７】先端側が頭部に固定された可撓性部材の変形動作を説明する図であり、（Ａ）は可動筒が後退位置にある場合の側面図、（Ｂ）は（Ａ）の頭部を先端側から見た正面図、（Ｃ）は可動筒が前進動作した場合の側面図、（Ｄ）は（Ｃ）の頭部を先端側から見た正面図、（Ｅ）は可動筒がさらに前進位置にある場合の側面図、（Ｆ）は（Ｅ）の頭部を先端側から見た正面図である。
【図８】処置具の動作を示す要部の断面図であり、（Ａ）は作動部に貼付シートを被せた状態の断面図、（Ｂ）は貼付シートが押し広げられた状態を示す断面図である。
【図９】頭部を先端側から見た正面図であり、（Ａ）は可撓性部材が２本の場合の正面図、（Ｂ）は可撓性部材が６本の場合の正面図である。
【図１０】他の実施形態に係る処置具の動作を示す要部の断面図であり、（Ａ）は作動部に貼付シートを被せた状態の断面図、（Ｂ）は貼付シートが押し広げられた状態を示す断面図である。
【図１１】先端側が頭部の貫通孔に摺動可能に支持された可撓性部材の変形動作を説明する図であり、（Ａ）は可動筒が前進動作した場合の側面図、（Ｂ）は（Ａ）の頭部を先端側から見た正面図、（Ｃ）は可動筒がさらに前進位置にある場合の側面図、（Ｄ）は（Ｃ）の頭部を先端側から見た正面図である。
【図１２】図１１の実施形態にかかる可動筒が後退位置にある場合の要部の断面図である。
【図１３】さらに他の実施形態に係る作動部の頭部の斜視図である。
【図１４】さらに他の実施形態に係る処置具の斜視図である。
【発明を実施するための最良の形態】
【００３４】
以下、本発明の処置具１０の実施の形態について、添付図面を参照して説明する。
【００３５】
なお、以下の説明では、図１において、右側を処置具１０の長さ方向の先端側、先端側と反対方向を基端側としており、前進方向とは先端側に向かう方向を示し、後退方向とは、前進方向と反対方向を示している。
【００３６】
本発明の処置具１０は、内視鏡の鉗子ポートや腹腔鏡手術時などのトロッカーの貫通孔（図示せず）に挿入されるものであり、貼付シートＳを押し広げて体内の患部Ｐへ貼付するのに使用される。貼付シートＳとして、例えばグンゼ株式会社製のポリグリコール酸を材料とした不織布である吸収性縫合補強材（ネオベール（登録商標））を用いることができる。以下の説明では内視鏡の鉗子ポートに挿入される場合について説明する。
【００３７】
図１に示すように、処置具１０は、基端側に手持ち操作のためのハンドル操作部２０と、先端側に貼付シートＳが被せられる作動部３０と、作動部３０からハンドル操作部２０まで延びるガイド軸４０と、ガイド軸４０上を進退可能な可動筒５０（可動部材）とを備えている。ハンドル操作部２０は、ガイド軸４０と可動筒５０のそれぞれの基端部から構成され、ハンドル操作部２０を操作することにより、可動筒５０をガイド軸４０に対して進退させることができる。この動作が実現できればハンドル操作部２０の形状および構成は特に限定されない。また、作動部３０に貼付シートＳを被せて内視鏡の鉗子ポートに挿入する際に、ハンドル操作部２０にガイド軸４０と可動筒５０を固定するためのロック機構を備えていてもよい。
【００３８】
ガイド軸４０は、可撓性を有し適度に剛性がある限り、特に限定はされないが、例えば、単線または撚り線からなる金属ワイヤが挙げられる。金属の素材としては、例えば、ステンレス、タンタル、ニッケル−チタン合金が挙げられる。
【００３９】
作動部３０は、図２、図４に示すように、貼付シートＳの略中央部分Ｓ１を内側より支持する頭部３１と、貼付シートＳの略中央部分Ｓ１の周辺部分Ｓ２を内側より支持する胴部３２とからなり、胴部３２は頭部を支持するガイド軸４０の先端部４０ａ（支持部材）と４本の可撓性部材３２１（３２１Ａ〜３２１Ｄ）とからなる。本実施形態では、ガイド軸４０の先端部４０ａが支持部材を構成しているが、ガイド軸４０と支持部材を別部材で構成して連結してもよく、また各々の外径は同じであっても異なっていてもよい。また、本実施形態では貼付シートの略中央部分Ｓ１の内側を頭部３１で支持しているが、貼付シートのどの部分を頭部３１で支持してもよい。
【００４０】
図３、図５に示すように、頭部３１は、円柱状の本体部３１１と、本体部３１１の先端部に設けられ本体部３１１よりも径の大きい円柱状の押圧部３１２とからなる。本体部３１１の基端面には、基端側からガイド軸４０の先端部４０ａを挿入するための係止穴３１１ｂが設けられ、ガイド軸４０の先端部４０ａが接着、溶着、ロウ付け等の固定方法で固定されている。
なお、頭部３１の本体部３１１、押圧部３１２の形状は円柱状に限定されず、多角柱状であってもよい。
【００４１】
押圧部３１２は、図４に示すように、作動部３０に貼付シートＳを被せたときに、貼付シートＳの略中央部分Ｓ１を内側より支持する。すなわち、内視鏡の鉗子ポート内に処置具１０で貼付シートＳを挿入していく場合には、押圧部３１２の先端面３１２ａで貼付シートＳを押していくことになる。また、貼付シートＳを患部Ｐに貼付する場合には、押圧部３１２の先端面３１２ａが貼付シートＳを介して患部Ｐに押しつけられることになる。このため、内視鏡の鉗子ポート内の搬送の際に貼付シートＳを押圧部３１２が突き破ることを防止するためと、押圧部３１２を患部Ｐに押し付けた際に患部Ｐを傷つけることを防止するために、図３に示すように、先端面３１２ａを平坦とし、先端面３１２ａと押圧部３１２の周壁の間にテーパー３１２ｂを設けている。なお、先端面３１２ａは半球状であってもよい。また、押圧部３１２の外径は、貼付シートＳを被せた処置具１０が鉗子ポートに挿入可能なように鉗子ポートの内径より小さいが、できるだけ大きい径とすることが好ましい。また、本体部３１１の外径が確保できる場合には、押圧部３１２を本体部３１１と同じ径として本体部３１１に連続して設けて押圧部３１２により貼付シートＳの略中央部分Ｓ１を支持してもよい。
【００４２】
図３、図５に示すように、本体部３１１には、本体部３１１の軸方向（処置具１０の長さ方向）に対して略垂直方向に２個の貫通孔３１１ａが直交する状態で設けられている。貫通孔３１１ａは本体部３１１の径方向に沿っており、各貫通孔３１１ａの両端が本体部３１１の外周面に開口している。各貫通孔３１１ａには可撓性部材３２１Ａ〜３２１Ｄが挿入される。本実施形態では、２本の線材を２つの貫通孔３１１ａにそれぞれ挿入し、折り返すことで計４本の可撓性部材３２１Ａ〜３２１Ｄを形成している。２本の線材は２つの貫通孔３１１ａにそれぞれ接着、溶着、ロウ付け等の固定方法で固定されている。
【００４３】
各可撓性部材３２１Ａ〜３２１Ｄは可撓性を有し貼付シートＳを押し広げるための剛性を有していればよく、例えば、単線または撚り線からなる金属ワイヤが挙げられる。金属の素材としては、例えば、ステンレス、タンタル、ニッケル−チタン合金が挙げられる。より好ましくは、直線状の形態に形状記憶されたニッケル−チタン合金等の形状記憶合金により形成されている。また、可撓性部材３２１の長さ方向に対して垂直方向の断面形状は、特に限定はされないが、円、楕円、長方形等が挙げられる。
【００４４】
また、可撓性部材３２１Ａ〜３２１Ｄをそれぞれ１本の線材（合計４本の線材）で形成し、各可撓性部材３２１Ａ〜３２１Ｄの先端部を本体部３１１の貫通孔３１１ａに固定してもよく、また本体部３１１に設けた貫通しない有底の穴に固定されていてもよい。本実施形態のように可撓性部材の本数が偶数本の場合には、貫通孔３１１ａに１本の線材を挿入し折り返すことで可撓性部材を形成するようにすれば、本体部３１１への固定等が容易になり、また、各線材を貫通孔に通すことで可撓性部材は確実に本体部３１１に係止されるため、頭部３１の本体部３１１の外径をより小さくすることができ、さらに低コストでの製作が可能となる。
【００４５】
本実施形態においては、可撓性部材３２１Ａ〜３２１Ｄのそれぞれの先端部は、処置具１０の長さ方向に対して垂直に頭部３１に固定されているが、それぞれの可撓性部材を本体部３１１に固定する角度は、処置具１０の長さ方向に対して垂直方向に近ければそれに限定されるわけではない。
なお、可撓性部材３２１Ａ〜３２１Ｄを処置具１０の長さ方向に対して垂直以外で固定する場合にも、孔をＶ字形状で設けるなどにより１本の線材を折り返すことで２本の可撓性部材とすることもできる。
【００４６】
各可撓性部材３２１Ａ〜３２１Ｄは基端側が可動筒５０に固定されており、可動筒５０の前進動作に伴い変形する。先端側が頭部に固定された可撓性部材３２１Ａ、３２１Ｂの変形動作について図７（Ａ）〜図７（Ｆ）を用いて説明する。図７（Ａ）〜図７（Ｆ）は、説明の簡略化のために可撓性部材３２１Ｃ、３２１Ｄ、貼付シートＳの図示を省略しているが、可撓性部材３２１Ｃ、３２１Ｄも可撓性部材３２１Ａ、３２１Ｂと同様に変形する。
【００４７】
図７（Ａ）、図７（Ｂ）に示すように、可動筒５０が後退位置にある場合、各可撓性部材３２１Ａ、３２１Ｂの先端側は外側にわずかに膨らんだ円弧形状となっている。
図７（Ｃ）、図７（Ｄ）に示すように、可動筒５０が前進すると、可撓性部材３２１Ａ、３２１Ｂは、外方へ大きく湾曲して膨らみ、頭部３１の周囲に張り出す。このときの可撓性部材３２１Ａ、３２１Ｂの張り出し方向は、頭部３１の先端部側から可撓性部材３２１Ａ、３２１Ｂを見たとき、各可撓性部材３２１Ａ、３２１Ｂが本体部３１１の貫通孔３１１ａを貫通する方向、すなわち図７（Ｄ）では上下方向である。
【００４８】
図７（Ｅ）、図７（Ｆ）に示すように、さらに可動筒５０が前進すると、可撓性部材３２１Ａ、３２１Ｂは可撓性部材３２１Ａ、３２１Ｂの直線形状に戻ろうとする復元力により、湾曲しながらねじれ始める。頭部３１の先端部側から可撓性部材３２１Ａ、３２１Ｂを見たとき、各可撓性部材３２１Ａ、３２１Ｂのねじれた部分は楕円形の面を構成し、頭部３１の周囲に花びら状に張り出す。
【００４９】
なお、前述したように、可動筒５０が後退位置にある場合、各可撓性部材３２１Ａ〜３２１Ｄは外側にわずかに膨らんだ円弧形状となっている。このため、各可撓性部材３２１Ａ〜３２１Ｄが固定される本体部３１１の外径は可能な限り小さくして、作動部３０に貼付シートＳを被せた時の作動部３０の外径を小さくし、内視鏡の鉗子ポートに挿通しやすくすることが好ましい。また、ガイド軸４０の先端部４０ａが固定される本体部３１１の基端側の外径よりも各可撓性部材３２１Ａ〜３２１Ｄが固定される本体部３１１の先端側の外径が小さくなるように、本体部３１１の外径を変化させてもよい。
【００５０】
図５に示すように、本実施形態では、４本の線状の可撓性部材３２１Ａ〜３２１Ｄが頭部３１の周囲に等角度（９０度）に配置して構成されているが、貼付シートＳを押し広げることができれば、周方向への配置は等角度に限定されない。
【００５１】
可動筒５０は、ガイド軸４０上をガイドされて作動部３０の頭部３１に対して進退可能なものであり、図６、図８（Ａ）、図８（Ｂ）に示すように、筒本体５１と、筒本体５１の先端部に取り付けられた筒状の先端キャップ５２を備えている。先端キャップ５２の基端部５２１は筒本体５１の内部の孔５１１に嵌めこまれて固定されており、先端キャップ５２の先端部５２２が筒本体５１から突出している。
【００５２】
筒本体５１は、中空円筒状で、円筒内をガイド軸４０が貫通する。筒本体５１の素材は、可撓性を有し適度に剛性がある限り、特に限定されない。筒本体５１の素材としては、ステンレスなどの密着巻コイル、ポリエチレン、ポリプロリレン、フッ素樹脂（ＰＴＦＥ）などの樹脂などが挙げられる。また、内視鏡の鉗子ポート内での摺動性を高めるために、筒本体５１の表面をコーティングしてもよい。また、先端キャップ５２の素材としては、ステンレスなどの金属などが挙げられるが、樹脂製であってもよい。
【００５３】
先端キャップ５２の先端部５２２の先端面には周方向に等間隔に穴５２３が形成されており、穴５２３に可撓性部材３２１Ａ〜３２１Ｄの基端部が挿入されて、例えば接着、溶着、ロウ付け等の固定方法で固定されている。穴５２３の数は可撓性部材３２１Ａ〜３２１Ｄの本数と同じであり、周方向への穴５２３の配置は頭部３１の本体部３１１に設けられた貫通孔３１１ａの開口位置に対応している。これにより、図６に示すように、４本の可撓性部材３２１Ａ〜３２１Ｄが作動部３０の長さ方向に沿って配置されている。可撓性部材３２１Ａ〜３２１Ｄの基端部は先端キャップ５２の長さ方向に対して平行に固定されているが、長さ方向に対して、外向き斜め方向に固定してもよい。
【００５４】
筒本体５１の内部の孔５１１と先端キャップ５２の内部の孔５２４とは連通しており、これらの孔５１１、孔５２４をガイド軸４０が貫通している。従って、筒本体５１及び先端キャップ５２はガイド軸４０上を摺動可能である。筒本体５１及び先端キャップ５２がガイド軸４０上を摺動する際に、筒本体５１及び先端キャップ５２がガイド軸４０の径方向に回転することを防止するためのガイド機構等を設けてもよい。
【００５５】
ガイド軸４０は、前述したように先端部４０ａが作動部３０の頭部３１に接続されるとともに、基端部がハンドル操作部２０に接続されている。ガイド軸４０は可動筒５０の進退をガイドするとともに、貼付シートＳを患部Ｐに貼り付ける際に作動部３０の頭部３１を支える支持部材としても機能し、頭部３１の患部Ｐへの当接を支持する。
【００５６】
なお、筒本体５１の内部の孔５１１とガイド軸４０の周囲に形成される空間を埋めるために筒状のスペーサを設け、ガイド軸４０が筒本体５１の孔５１１内で径方向に動くことを防止してもよい。
【００５７】
次に、本発明の処置具１０の使用方法について説明する。
まず、処置具１０の作動部３０に貼付シートＳを被せ（図４）、処置具１０のハンドル操作部２０を把持して、内視鏡の鉗子ポートに先端側より挿通して体内に挿入する。
【００５８】
次に、作動部３０の頭部３１が貼付シートＳを介して患部Ｐに当接するまで、処置具１０を前進させる（図７（Ａ）、図７（Ｂ）、図８（Ａ））。この状態で、ハンドル操作部２０を操作して可動筒５０を作動部３０の頭部３１に対して前進させると、可撓性部材３２１Ａ〜３２１Ｄが外方へ膨らみ、頭部３１の周囲に張り出し、貼付シートＳが確実に押し広げられる（図７（Ｃ）、図７（Ｄ）、図８（Ｂ））。この状態下で、可撓性部材３２１Ａ〜３２１Ｄにより貼付シートＳを患部Ｐに押し付けて貼付することも可能である。
【００５９】
さらに、可動筒５０を作動部３０の頭部３１に対して前進させると、各可撓性部材３２１Ａ〜３２１Ｄが撓みながらねじれ、頭部３１の先端部側から可撓性部材３２１Ａ〜３２１Ｄを見たとき、各可撓性部材３２１Ａ〜３２１Ｄのねじれた部分が楕円形状、いわゆる花びらの形状となって頭部３１の周囲に広がる（図７（Ｅ）、図７（Ｆ））。このねじれにより可撓性部材３２１Ａ〜３２１Ｄが貼付シートＳに接触する部分が多くなり、さらに安定した状態で貼付シートＳを患部Ｐに押し付けて貼付することができる。
【００６０】
貼付シートＳを患部に押し付けた後、処置具１０を引いて作動部３０を貼付シートＳより離脱させることで貼付動作が完了する。可撓性部材３２１Ａ〜３２１Ｄが頭部３１の周囲に張り出した状態で再度処置具１０を前後させて作動部３０で貼付シートＳの押し付け動作を行ってもよい。その後、ハンドル操作部２０を操作して可動筒５０を頭部３１に対して後退させて、作動部３０を図８（Ａ）の状態にした後、処置具１０を内視鏡の鉗子ポートから回収する。
【００６１】
本発明によれば、処置具１０の作動部３０に貼付シートＳを被せるだけの簡単な動作で、処置具１０に貼付シートＳを容易に取り付けることができる。また、可動筒５０を頭部３１に対して前進させるだけの簡単な操作で、貼付シートＳを押し広げて患部Ｐに貼付シートＳを貼り付けることができる。
【００６２】
以上、本発明の一実施形態について説明したが、本発明は上記実施形態に限定されるものではなく、本発明の趣旨を逸脱しない限りにおいて種々の変更が可能である。
【００６３】
例えば、可撓性部材３２１Ａ〜３２１Ｄの数は、上記実施形態の４本に限定されず、図９（Ａ）に示すように２本であってもよく、図９（Ｂ）に示すように６本であってもよい。２本の場合、各可撓性部材３２１Ａ、３２１Ｂは１８０度間隔で頭部３１の周囲に配置される。また、６本の場合、各可撓性部材３２１Ａ〜３２１Ｆは６０度間隔で頭部３１の周囲に配置される。すなわち、可撓性部材の本数は少なくとも２本以上で構成されていればよく、偶数のみでなく奇数で構成してもよい。また、頭部３１の周囲への配置は等角度に限定されず、偏った配置にしてもよい。
【００６４】
図１０に本発明の他の実施形態を示す。図示例の処置具１０は、作動部３０の頭部３１に支持棒６１（支持部材）を介して先端部が接続された固定筒６０と、固定筒６０内を進退可能な可動ロッド（可動部材）７０とを備えたものであり、固定筒６０と可動ロッド７０のそれぞれの基端部は図示しないハンドル操作部２０に連結されている。ハンドル操作部２０を操作することにより、可動ロット７０を固定筒６０に対して進退させることができる。
【００６５】
支持棒６１は、可撓性を有し適度に剛性がある限り、特に限定はされないが、例えば、単線または撚り線からなる金属ワイヤが挙げられる。金属の素材としては、例えば、ステンレス、タンタル、ニッケル−チタン合金が挙げられる。より好ましくは、例えばニッケル−チタン合金等の形状記憶合金であり、直線状態で形状記憶されていることがより好ましい。支持棒６１が可撓性を有していることで、作動部３０の長さを長くした場合でも、処置具１０を湾曲した状態の内視鏡の鉗子ポート内に挿通させることが可能となる。また、頭部３１を患部Ｐに押し付けた際のクッションとしても機能する。
【００６６】
作動部３０の頭部３１の本体部３１１の基端面には、支持棒６１の先端部が挿入される係止穴３１１ｂが形成されている。支持棒６１の先端部はこの係止穴３１１ｂに挿入されて例えば接着、溶着、ロウ付け等の固定方法で固定される。後述するように、支持棒６１の基端部は固定筒６０の先端部に接続されている。
【００６７】
固定筒６０は、円筒状の本体部６２と、本体部６２の先端部を閉鎖する先端キャップ６３を備えている。先端キャップ６３の先端面６３ａには係止穴６３ｃが形成され、支持棒６１の基端部が挿入されて例えば接着、溶着、ロウ付け等の固定方法により固定されている。また、先端キャップ６３の支持棒６１の周囲には、可撓性部材３２１Ａ〜３２１Ｄを摺動可能に挿通させるための貫通孔６３ｂが長さ方向に形成されている。貫通孔６３ｂの数は可撓性部材３２１Ａ〜３２１Ｄの本数と同じであり、本実施形態では４つである。４つの貫通孔６３ｂが周方向に等間隔に形成されている。
【００６８】
固定筒６０の素材は、可撓性を有し適度に剛性がある限り、特に限定されない。固定筒６０の素材としては、ステンレスなどの密着巻コイル、ポリエチレン、ポリプロリレン、フッ素樹脂（ＰＴＦＥ）などの樹脂などが挙げられる。また、先端キャップ６３の素材としては、ステンレスなどの金属などが挙げられるが、樹脂製であってもよい。
【００６９】
可動ロッド７０の先端部には連結体７１を介して可撓性部材３２１Ａ〜３２１Ｄの基端部が接続されている。各可撓性部材３２１Ａ〜３２１Ｄの基端部は、先端キャップ６３の貫通孔６３ｂを通って固定筒６０の内部の孔６２ａに挿入され、連結体７１の先端部に例えば接着、溶着、ロウ付け等の固定方法で接続されている。
【００７０】
可動ロッド７０は、可撓性を有し適度に剛性がある限り、特に限定はされないが、例えば、単線または撚り線からなる金属ワイヤが挙げられる。金属の素材としては、例えば、ステンレス、タンタル、ニッケル−チタン合金が挙げられる。また、本実施形態では１本の可動ロッド７０でハンドル操作部２０と連結体７１とを連結しているが、可動ロッド７０は複数の部材を連結して構成してもよく、また各々部材の外径は同じであっても異なっていてもよい。
【００７１】
その他の構成については、図１〜図８の実施形態と同様であるため、対応する構成には同一の符号を付して説明を省略する。
【００７２】
次に、図１０の実施形態の処置具１０の使用方法について説明する。
まず、処置具１０の作動部３０に貼付シートＳを被せて、処置具１０のハンドル操作部２０を把持して、内視鏡の鉗子ポートに先端側より挿通して体内に挿入する。
【００７３】
次に、作動部３０の頭部３１が貼付シートＳを介して患部Ｐに当接するまで、処置具１０を前進させる（図１０（Ａ））。この状態で、ハンドル操作部２０を操作して可動ロッド７０を作動部３０の頭部３１に対して前進させると（図１０（Ｂ））、作動部３０の胴部３２の可撓性部材３２１Ａ〜３２１Ｄが外方へ膨らみかつ頭部３１の周囲に張り出す。これにより貼付シートＳが押し広げられる。この状態下で、可撓性部材３２１Ａ〜３２１Ｄにより貼付シートＳを患部Ｐに押し付けて貼付することも可能である。
【００７４】
さらに、可動ロッド７０を作動部３０の頭部３１に対して前進させると、図７（Ｅ）、図７（Ｆ）に示す実施形態と同様に、各可撓性部材３２１Ａ〜３２１Ｄがねじれ、頭部３１の先端部側から可撓性部材３２１Ａ〜３２１Ｄを見たとき、各可撓性部材３２１Ａ〜３２１Ｄのねじれた部分が楕円形状、いわゆる花びらの形状となって頭部３１の周囲に広がる。このねじれにより可撓性部材３２１Ａ〜３２１Ｄが貼付シートＳに接触する部分が多くなり、さらに安定した状態で貼付シートＳを患部Ｐに押し付けることができる。
【００７５】
この状態で処置具１０を引いて作動部３０を貼付シートＳより離脱させることで貼付動作が完了する。その後、ハンドル操作部２０を操作して可動ロッド７０を頭部３１に対して後退させて、作動部３０を図１０（Ａ）の状態にした後、処置具１０を内視鏡の鉗子ポートから回収する。
【００７６】
本発明によれば、処置具１０の作動部３０に貼付シートＳを被せるだけで、処置具に貼付シートＳを容易に取り付けることができる。また、可動ロッド７０を頭部３１に対して前進させるだけの簡単な操作で、貼付シートＳを広げて患部Ｐに貼付シートＳを貼り付けることができる。
【００７７】
図１１、図１２に本発明の他の実施形態を示す。図示例の処置具１０は、図３に示す処置具１０において、可撓性部材３２１Ａ〜３２１Ｄを構成する２本の線材が２つの貫通孔３１１ａに固定されずにそれぞれ摺動可能に支持されたものである。
【００７８】
各可撓性部材３２１Ａ〜３２１Ｄは、可動筒５０の前進動作に伴い変形するもので、以下、先端側が頭部の貫通孔に摺動可能に支持された可撓性部材３２１Ａ、３２１Ｂの変形動作について図１１（Ａ）〜図１１（Ｄ）を用いて説明する。なお、可撓性部材３２１Ｃ、３２１Ｄも可撓性部材３２１Ａ、３２１Ｂと同様に変形するが、図１１（Ａ）、〜図１１（Ｄ）では、説明の簡略化のために可撓性部材３２１Ｃ、３２１Ｄ及び貼付シートＳの図示を省略している。
【００７９】
可動筒５０が後退位置にあるとき、図７（Ａ）、図７（Ｂ）に示す実施形態と同様に、各可撓性部材３２１Ａ、３２１Ｂは外側にわずかに膨らんだ円弧形状となっている。
可動筒５０が前進すると、図１１（Ａ）、図１１（Ｂ）に示すように、可撓性部材３２１Ａ、３２１Ｂは、可撓性部材３２１Ａ、３２１Ｂの直線形状に戻ろうとする復元力によって貫通孔３１１ａの内部で軸回転してねじれる。このとき、可撓性部材３２１Ａ、３２１Ｂは、頭部３１の先端部側から見たとき、ねじれ部分が楕円形の面を構成している。この楕円形の面は本体部３１１の貫通孔３１１ａを各可撓性部材３２１Ａ、３２１Ｂが貫通する方向に対して一方側（図１１（Ｂ）では左側）に傾きつつ大きく湾曲して膨らみ、頭部３１の周囲に張り出す。
さらに可動筒５０が前進すると、図１１（Ｃ）、図１１（Ｄ）に示すように、可撓性部材３２１Ａ、３２１Ｂは貫通孔３１１ａの内部でさらに軸回転してねじれ、頭部３１の押圧部３１２の先端面３１２ａよりも先端側に大きく突出する。
【００８０】
その他の構成については、図１〜図８の実施形態と同様であるため、対応する構成には同一の符号を付して説明を省略する。
【００８１】
次に、本発明の処置具１０の使用方法について説明する。本発明の処置具１０は、図１２に示すように、処置具１０の長さ方向に対して患部Ｐが斜め方向に傾いている状態で使用しているが、これに限定されるものではない。
【００８２】
まず、処置具１０の作動部３０に貼付シートＳを被せ（図４）、処置具１０のハンドル操作部２０を把持して、内視鏡の鉗子ポートに先端側より挿通して体内に挿入する。
次に、作動部３０の頭部３１が貼付シートＳを介して患部Ｐに当接するか、作動部３０の頭部３１が患部Ｐの近傍に位置するまで処置具１０を前進させる（図１２）。
【００８３】
この状態で、ハンドル操作部２０を操作して可動筒５０を作動部３０の頭部３１に対して前進させると、作動部３０の胴部３２の可撓性部材３２１Ａ〜３２１Ｄが外方へ膨らみ、頭部３１の周囲に張り出し、貼付シートＳが押し広げられる。この状態下で、可撓性部材３２１Ａ〜３２１Ｄにより貼付シートＳを患部Ｐに押し付けて貼付することも可能である。例えば、図１２における頭部３１より下側の貼付シートＳは、可撓性部材３２１Ａ〜３２１Ｄにより患部Ｐに押しつけられて貼付される。
【００８４】
さらに、可動筒５０を作動部３０の頭部３１に対して前進させると、各可撓性部材３２１Ａ〜３２１Ｄがねじれ、図１１（Ｃ）、図１１（Ｄ）に示すように、頭部３１の先端部側から見たとき、各可撓性部材３２１Ａ〜３２１Ｄのねじれた部分が楕円形状になるとともに、頭部３１の押圧部３１２の先端面３１２ａよりも先端側に大きく突出する。この突出部分により、頭部３１の先端面３１２ａよりもさらに先端側にある患部Ｐに貼付シートＳが貼り付けられる。図１２においては、頭部３１より上側の貼付シートＳは、可撓性部材３２１Ａが頭部３１の先端面３１２ａよりもさらに先端側に突出することで、患部Ｐに押しつけられて貼付される。
この状態で処置具１０を引いて作動部３０を貼付シートＳより離脱させることで貼付動作が完了する。
【００８５】
本発明によれば、体内において、作動部３０の頭部３１が患部Ｐに当接せずに離れている場合であっても、貼付シートＳを頭部３１よりも前方に押し出して患部Ｐに貼り付けることができる。
【００８６】
図１３に本発明の他の実施形態を示す。
この実施形態では、作動部３０の頭部３１の本体部３１１に、本体部３１１の軸方向（処置具１０の長さ方向）に対して略垂直方向に貫通する３つの貫通孔３１１ｃ、３１１ｄ、３１１ｅ（以下、３１１ｃ、３１１ｄを「第１の貫通孔」、３１１ｅを「第２の貫通孔」という。）が、本体部３１１の軸方向に沿って設けられている。第１の貫通孔３１１ｃ、３１１ｄは直交する状態で設けられており、第２の貫通孔３１１ｅは第１の貫通孔３１１ｃと同じ貫通方向に設けられている。
【００８７】
第１、第２の各貫通孔３１１ｃ、３１１ｄ、３１１ｅには、可撓性部材３２１Ａ〜３２１Ｆが挿入されている。本実施形態では、３本の線材を第１、第２の各貫通孔３１１ｃ、３１１ｄ、３１１ｅにそれぞれ挿入して折り返すことで計６本の可撓性部材３２１Ａ〜３２１Ｆを形成している。第１の貫通孔３１１ｃ、３１１ｄに通された２本の線材は折り返し部分がそれぞれ接着、溶着、ロウ付け等の固定方法で本体部３１１に固定されて可撓性部材３２１Ａ〜３２１Ｄを形成している。第２の貫通孔３１１ｅに通された１本の線材は折り返し部分が第２の貫通孔３１１ｅに摺動可能に支持されて可撓性部材３２１Ｅ、３２１Ｆを形成している。
【００８８】
本実施形態の処置具１０においては、図示しない可動筒を頭部３１に対して前進させると、第１の貫通孔３１１ｃ、３１１ｄに挿入された可撓性部材３２１Ａ〜３２１Ｄは、図７に示す実施形態と同様の動作を行い、頭部３１の先端部側から可撓性部材３２１Ａ〜３２１Ｄを見たとき、可撓性部材３２１Ａ〜３２１Ｄは十字形状に膨らむ。第２の貫通孔３１１ｅに挿入された可撓性部材３２１Ｅ、３２１Ｆは、図１１に示す実施形態と同様の動作を行い、頭部３１の先端部側から可撓性部材３２１Ｅ、３２１Ｆを見たときに一方側に傾きつつ湾曲して膨らむ。すなわち、可撓性部材３２１Ｅ、３２１Ｆは可撓性部材３２１Ａ〜３２１Ｄによって形成された十字形状の間を外方へ膨らむことになる。図示しない可動筒をさらに頭部３１に対して前進させると、各可撓性部材３２１Ａ〜３２１Ｄは頭部の周囲に花びら状に広がり、可撓性部材３２１Ｅ、３２１Ｆは、ねじれた部分が楕円形状となるとともに、頭部３１の押圧部３１２の先端面３１２ａよりも先端側に大きく突出する。
【００８９】
その他の構成については、図１〜図８の実施形態と同様であるため、対応する構成には同一の符号を付して説明を省略する。
【００９０】
上記の構成によれば、第１の貫通孔３１１ｃ、３１１ｄに固定された可撓性部材３２１Ａ〜３２１Ｄと第２の貫通孔３１１ｅに固定されずに摺動可能に支持された可撓性部材３２１Ｅ、３２１Ｆとの両方を備えているため、図示しない可動筒を頭部に対して前進し始めると、可撓性部材３２１Ａ〜３２１Ｄが前記した十字形状の膨らみ動作を行うことで貼付シートＳを確実に押し広げて患部Ｐに貼り付けることができるとともに、さらに可動筒を頭部に対して前進させると可撓性部材３２１Ｅ，３２１Ｆが貼付シートＳを頭部３１の先端面３１２ａよりも先端側に押し出して患部Ｐに貼り付けることができる。
【００９１】
なお、本実施形態では、第１の貫通孔３１１ｃ、３１１ｄを２つ、第２の貫通孔３１１ｅを１つ開設しているが、第１の貫通孔、第２の貫通孔の個数はこれに限定されず、第１の貫通孔を１つまたは３つ以上としてもよく、第２の貫通孔を２つ以上としてもよい。また、本実施形態では、第２の貫通孔３１１ｅは第１の貫通孔３１１ｃの一つと同じ貫通方向に開設しているが、どの方向に開設してもよい。
【００９２】
図１４に本発明の他の実施形態を示す。
本実施形態においては、可動筒５０は、可動筒５０の外側に設けられた外筒８０内を進退可能となっている。外筒８０は、可動筒５０が進退動作しても常に先端側から可動筒５０の先端キャップ５２が突出状態となる長さに設定されている。また、外筒８０の基端部はハンドル操作部２０を構成するハンドル支持部８１に接続されている。ハンドル支持部８１には可動筒５０の基端部５３が進退可能に収容されるとともに、ハンドル支持部８１の基端部にガイド軸４０の基端部が連結されている。
【００９３】
ハンドル支持部８１には、可動筒５０の進退方向に長い長孔８２が開設されている。長孔８２には、可動筒５０の基端部５３と一体の爪部５４がスライド自在に係合し、爪部５４はハンドル支持部８１の外側へ突出している。爪部５４を長孔８２に沿って摺動させることで、可動筒５０が外筒８０内を移動する。
外筒８０の素材は限定されないが、本実施形態ではポリプロピレン（ＰＰ）などの樹脂としている。また、可動筒５０の筒本体５１をフッ素樹脂（例えばＰＴＦＥ）から構成することで、可動筒５０が外筒８０内部を移動するときの摺動抵抗を少なくしている。
本実施形態では可動筒５０の筒本体５１に摺動性のよい材料を使用しているが、外筒８０に摺動性のよい材料を使用してもよいし、筒本体５１と外筒８０との両方に摺動性のよい材料を使用してもよい。
【００９４】
その他の構成については、図１〜図８の実施形態と同様であるため、対応する構成には同一の符号を付して説明を省略する。
【００９５】
本実施形態の処置具１０は、特に、内視鏡の鉗子ポートに挿入して用いられる。可動筒５０の外側に外筒８０を設ける構成とすることで、鉗子ポートの内壁面は外筒８０と接触するが可動筒５０とは接触しない。このため、爪部５４を長孔８２に沿って摺動させた動作を確実に可動筒５０を通じて作動部３０に伝えることができるため、頭部３１の位置を固定したままで貼付シートＳを患部Ｐに貼りつけることができる。よって、鉗子ポートの内壁面と可動筒５０との間の摺動抵抗により可動筒５０の前進が妨げられたり、逆にガイド軸４０が可動筒５０の側に後退して作動部３０の頭部３１が患部Ｐから離れてしまうということがない。
【００９６】
以上、本発明の一実施形態について説明したが、本発明は上記実施形態に限定されるものではなく、本発明の趣旨を逸脱しない限りにおいて種々の変更が可能である。
【符号の説明】
【００９７】
１０  処置具
２０  ハンドル操作部
３０  作動部
３１  頭部
３１１ａ  貫通孔
３１１ｂ  係止穴
３１１ｃ、３１１ｄ  第１の貫通孔
３１１ｅ  第２の貫通孔
３２  胴部
３２１（３２１Ａ〜３２１Ｆ）  可撓性部材
４０  ガイド軸
４０ａ  ガイド軸の先端部（支持部材）
５０  可動筒
６０  固定筒
６１  支持棒（支持部材）
７０  可動ロッド
７１  連結体
８０  外筒
Ｐ  患部
Ｓ  貼付シート
Ｓ１  貼付シートの略中央部分
Ｓ２  貼付シートの略中央部分の周辺部分
【図１】
0006640604.tif 000002
【図２】
0006640604.tif 000003
【図３】
0006640604.tif 000004
【図４】
0006640604.tif 000005
【図５】
0006640604.tif 000006
【図６】
0006640604.tif 000007
【図７】
0006640604.tif 000008
【図８】
0006640604.tif 000009
【図９】
0006640604.tif 000010
【図１０】
0006640604.tif 000011
【図１１】
0006640604.tif 000012
【図１２】
0006640604.tif 000013
【図１３】
0006640604.tif 000014
【図１４】
0006640604.tif 000015